(57)【特許請求の範囲】
【請求項１】
適宜コンベヤシステムによって搬送される搬送物の側部に摺接して、搬送物を案内するガイドレール装置であって、適宜長尺なガイドレールと、このガイドレールに連結される支持アームと、この支持アームをガイドレールに連結させるためのクランププレート及びナット体とを備え、ガイドレールは、長尺な基板と、この基板の両長縁部分に折返部を介して連設されると共に、先端縁がわに行くに従って相互に接近するような傾斜状態に配される一対の長尺な傾斜板とで略蟻溝形状に形成され、クランププレートは、支持アームの先端部に設けた雄ネジ部が挿通される挿通孔を穿設してなる基片と、この基片の両縁部分に連設されると共に、ガイドレールの一対の傾斜板夫々に略平行となるように配される一対の傾斜片とからなり、ナット体は、ガイドレールの基板と一対の傾斜板で囲繞された内部空間に内装され、その中央には支持アームの雄ネジ部が螺着可能な雌ネジ孔が形成され、その両縁部分にはガイドレールの一対の傾斜板の内表面に夫々密接するような傾斜面が形成され、支持アームは、ナット体の雌ネジ孔への雄ネジ部の螺着によって、クランププレートの傾斜片とナット体の傾斜面とで、ガイドレールの傾斜板部分を挟圧保持できるように構成したことを特徴とするコンベヤシステムに於けるガイドレール装置。
【請求項２】
ガイドレールの傾斜板の先端部分に、傾斜板の先端縁部分を基端がわに折返すようにした折重部を形成したことを特徴とする請求項１記載のコンベヤシステムに於けるガイドレール装置。
【請求項３】
ガイドレールの傾斜板の先端部分に、その部分の肉厚が厚くなるような厚肉部を形成したことを特徴とする請求項１記載のコンベヤシステムに於けるガイドレール装置。
【請求項４】
ガイドレールの基板に、外側がわに湾出する縦断面略円弧状の湾曲部を形成したことを特徴とする請求項１または請求項２または請求項３記載のコンベヤシステムに於けるガイドレール装置。
【請求項５】
ガイドレールの基板及び折返部の外表面部分を覆うような適宜合成樹脂製の外装体を形成したことを特徴とする請求項１または請求項２または請求項３または請求項４記載のコンベヤシステムに於けるガイドレール装置。
【請求項６】
外装体の外表面に、外側がわに湾出するような縦断面略円弧状の湾出突部または湾曲突部を形成したことを特徴とする請求項５記載のコンベヤシステムに於けるガイドレール装置。
【発明の詳細な説明】
【０００１】
【発明の属する技術分野】
本発明は、主に、適宜コンベヤシステムによって搬送される搬送物の側部に摺接して、搬送物を所望位置に案内するガイドレール装置に係り、その設置が簡単に、確実に、正確に、且つ安定的に行え、搬送物をスムーズに案内できるように工夫したコンベヤシステムに於けるガイドレール装置に関するものである。
【０００２】
【従来の技術】
従来、この種のガイドレール装置にあっては、種々のものが提供されており、例えば、鉄製またはステンレススチール製等の略リップ溝形状を呈するレール材を形成し、このレール材の溝部分に適宜合成樹脂製の摺接材を装着したものが多く利用されている。
【０００３】
【発明が解決しようとする課題】
しかしながら、前述の如きガイドレール装置にあっては、ガイドレール自身にある程度の強度、剛性を持たせるべく比較的厚い板材を利用していることが多く、そのため、ガイドレール自身が重くなる難点があった。更に、ガイドレールの支持にボルトやナット類が突出して、邪魔となる難点や、ガイドレールの取付位置は、例えば、予め孔開けした位置にしか取付けできず、現場に於いて、再度孔開けして調節しなければならず、その組立て作業に時間がかかるし、コストも高くなる等の難点があった。加えて、ガイドレールを案内方向に沿うように所望の湾曲状に曲げ難い等の課題もあった。
【０００４】
【課題を解決するための手段】
そこで、本発明は、前述の如き難点等を解消できるようにすると共に、ガイドレールの設置が、簡単に、確実に、正確に、迅速に、且つ安定的に行え、コンベヤシステムに於いて搬送物を所望の状態にスムーズに案内でき、構成簡素で、量産に適し、軽量で、耐久性に優れ、取扱いが容易で、コストの低減が図れ、経済的なガイドレール装置を提供できるようにすべく創出されたものである。
しかして、請求項１記載のガイドレール装置にあっては、適宜コンベヤシステムによって搬送される搬送物の側部に摺接して、搬送物を案内するガイドレール装置であって、適宜長尺なガイドレールＡと、このガイドレールＡに連結される支持アームＤと、この支持アームＤをガイドレールＡに連結させるためのクランププレートＢ及びナット体Ｃとを備え、ガイドレールＡは、長尺な基板１と、この基板１の両長縁部分に折返部２を介して連設されると共に、先端縁がわに行くに従って相互に接近するような傾斜状態に配される一対の長尺な傾斜板３とで略蟻溝形状に形成され、クランププレートＢは、支持アームＤの先端部に設けた雄ネジ部１７が挿通される挿通孔１２を穿設してなる基片１０と、この基片１０の両縁部分に連設されると共に、ガイドレールＡの一対の傾斜板３夫々に略平行となるように配される一対の傾斜片１１とからなり、ナット体Ｃは、ガイドレールＡの基板１と一対の傾斜板３で囲繞された内部空間に内装され、その中央には支持アームＤの雄ネジ部１７が螺着可能な雌ネジ孔１６が形成され、その両縁部分にはガイドレールＡの一対の傾斜板３の内表面に夫々密接するような傾斜面１５が形成され、支持アームＤは、ナット体Ｃの雌ネジ孔１６への雄ネジ部１７の螺着によって、クランププレートＢの傾斜片１１とナット体Ｃの傾斜面１５とで、ガイドレールＡの傾斜板３部分を挟圧保持できるように構成する手段を採用した。
【０００５】
また、請求項２記載のガイドレール装置にあっては、ガイドレールＡの傾斜板３の先端部分に、傾斜板３の先端縁部分を基端がわに折返すようにした折重部３ａを形成する手段を採用した。
【０００６】
更に、請求項３記載のガイドレール装置にあっては、ガイドレールＡの傾斜板３の先端部分に、その部分の肉厚が厚くなるような厚肉部３ｂを形成する手段を採用した。
【０００７】
そして、請求項４記載のガイドレール装置にあっては、ガイドレールＡの基板１に、外側がわに湾出する縦断面略円弧状の湾曲部１ａを形成する手段を採用した。
【０００８】
それから、請求項５記載のガイドレール装置にあっては、ガイドレールＡの基板１及び折返部２の外表面部分を覆うような適宜合成樹脂製の外装体Ｅを形成する手段を採用した。
【０００９】
加えて、請求項６記載のガイドレール装置にあっては、外装体Ｅの外表面に、外側がわに湾出するような縦断面略円弧状の湾出突部３０ａまたは湾曲突部３０ｂを形成する手段を採用した。
【００１０】
【発明の実施の形態】
以下、本発明を図示例に基づいて説明する。
本発明は、適宜コンベヤシステムに於いて、例えば、コンベヤチェーン５０の上方左右に配されて、コンベヤチェーン５０で搬送される搬送物の側部に摺接し、搬送物を所望位置にスムーズに案内できるように構成したガイドレール装置である。
そして、このガイドレール装置は、長尺な適宜金属製（或いは、合成樹脂製や、適宜複合材であっても良い）のガイドレールＡと、このガイドレールＡの任意の位置に連結される適宜金属製（或いは、合成樹脂製や、適宜複合材であっても良い）の支持アームＤと、この支持アームＤをガイドレールＡに連結させるための適宜金属製（或いは、合成樹脂製や、適宜複合材であっても良い）のクランププレートＢ及びナット体Ｃとからなるものである（図１参照）。
【００１１】
それから、ガイドレールＡは、長尺な略帯板状の基板１と、この基板１の両長縁部分に略Ｕ字状の折返部２を介して連設されると共に、先端縁がわに行くに従って相互に接近するような傾斜状態に配される一対の長尺な略帯板状の傾斜板３とで略蟻溝形状に形成されている（図３参照）。尚、図中５は、一対の傾斜板３先端の間に設けられる開放部である。
【００１２】
更に、クランププレートＢは、支持アームＤの先端部に設けた雄ネジ部１７が挿通可能で、且つ雄ネジ部１７基端に周設されている段部に係止されるような挿通孔１２がその中央部分に穿設されている略矩形板状の基片１０と、この基片１０の両縁部分に連設されると共に、ガイドレールＡの一対の傾斜板３夫々に略平行となるように配される一対の傾斜片１１とからなり、一対の傾斜片１１は、一対の傾斜板３（或いは、折重部３ａ、厚肉部３ｂ）夫々の外表面に密接可能となるように構成されている（図３参照）。尚、図中１３は、支持アームＤの雄ネジ部１７が挿通可能で、且つ雄ネジ部１７基端に周設されている段部に係止されるよう形成されているワッシャーで、このワッシャー１３は支持アームＤの雄ネジ部１７基端の段部とクランププレートＢとの間に介装されて、支持アームＤとクランププレートＢとの間の回転摩擦を低減できるように構成されている。
【００１３】
また、ナット体Ｃは、略矩形厚板状を呈し、ガイドレールＡの基板１と一対の傾斜板３で囲繞された内部空間に内装できると共に、開放部５から逸脱しないように形成されている。しかも、その中央には支持アームＤの雄ネジ部１７が螺着可能な雌ネジ孔１６が形成され、その両縁部分にはガイドレールＡの一対の傾斜板３の内表面に夫々密接するような比較的大きな傾斜面１５が形成されている（図３参照）。
【００１４】
支持アームＤは、例えば、全体略丸棒状を呈し、その先端部に段部を介して雄ネジ部１７が設けられている。しかして、支持アームＤの雄ネジ部１７を、ナット体Ｃの雌ネジ孔１６に螺着することにより、クランププレートＢの傾斜片１１とナット体Ｃの傾斜面１５とで、ガイドレールＡの傾斜板３部分を挟圧保持して、支持アームＤをガイドレールＡの任意の位置に連結できるように構成されている（図３参照）。
【００１５】
ところで、前記ガイドレールＡを、長尺帯板状の適宜金属板材によって構成する場合は、基板１の両長縁部分（上下長縁部分）に略Ｕ字状の折返部２を連設し、この折返部２に一対の傾斜板３を連設し、この一対の傾斜板３の先端部分を基端がわに折返して密接するようにした折重部３ａが設けられるようプレス手段等によって構成される。尚、折重部３ａは、図示例では傾斜板３の外側がわに折返すように設けてあるが、傾斜板３の内側がわに折返すように設けても良い。
【００１６】
更に、前記基板１の幅方向（上下方向）中央には、外側がわに湾出するような縦断面略円弧状の湾曲部１ａを形成しても良い。すなわち、基板１（ひいてはガイドレールＡ）の強度及び剛性が増し、搬送物との摺接面積が小さくなって、摺接抵抗が低減し、搬送物がより滑らかに案内されるように構成することができる（図４の（ロ）（ニ）参照）。
【００１７】
また、ガイドレールＡを、一層の軽量化が期待できるアルミ材等の一体成型によって構成する場合は、例えば、図４の（ハ）（ニ）の如く、長尺帯板状の適宜金属板材によって構成する場合よりも基板１及び傾斜板３が稍厚く形成され、折返部２は縦断面略舌片状に形成され、傾斜板３の先端がわ外側には厚肉部３ｂが形成されるようになる。すなわち、ガイドレールＡ全体の強度及び剛性が増し、傾斜板３の厚肉部３ｂ部分がクランププレートＢとナット体Ｃとで強力に挟圧保持され、ガイドレールＡと支持アームＤとの連結状態が強固で安定的となるように構成してある。加えて、このガイドレールＡの基板１の幅方向（上下方向）中央に、外側がわに湾出するような縦断面略円弧状の湾曲部１ａを形成することもできる。
【００１８】
図中２０は、前記支持アームＤを任意の位置に支持できるようにした支持体であって、この支持体２０は、例えば、適宜合成樹脂製の支持ブロック２１と、支持マスト２２とを備え、支持ブロック２１に設けた取付孔２３に支持アームＤが挿通されて、固定できるように構成されている。すなわち、取付孔２３には切割溝２４が連設され、この切割溝２４部分を貫通するボルト２５、ナット２６によって、支持アームＤを取付孔２３内周面で挟圧保持できるように形成されている（図１参照）。
【００１９】
図中Ｅは、ガイドレールＡの基板１及び折返部２の外表面部分を覆うような適宜合成樹脂製の外装体を示し、この外装体Ｅは、ガイドレールＡの基板１を覆う基板３０と、この基板３０の両長縁（上下縁）部分に連設されると共に、ガイドレールＡの折返部２を覆う縦断面略Ｌ字状の抱持片３１とからなる。すなわち、搬送物を保護すると共に、搬送物との摺接抵抗を低減して、搬送物をスムーズに案内できるように構成されたものである。
【００２０】
ところで、外装体Ｅの基板３０の略幅方向（上下方向）中央外表面には、外側がわに湾出するような縦断面略円弧状の湾出突部３０ａを形成しても良い（図４の（イ）参照）。また、ガイドレールＡの湾曲部１ａに対応するように、外装体Ｅの基板３０の略幅方向（上下方向）中央外表面に、外側がわに湾出するような縦断面略円弧状の湾曲突部３０ｂを形成しても良い（図４の（ロ）（ニ）参照）。すなわち、搬送物との摺接抵抗をより低減させて、搬送物をよりスムーズに案内できるように形成できる。
【００２１】
加えて、図６、図７に示すように、前記クランププレートＢとナット体Ｃにあっては、ガイドレールＡの長手方向に沿うように複数の挿通孔１２や、複数の雌ネジ孔１６を設け、挿通孔１２に挿通して雌ネジ孔１６に螺着される複数のボルト４０を介して、隣設するガイドレールＡ相互を連結できるように構成しても良い。このとき、ボルト４０に代えて支持アームＤを一部に利用しても良い。
また、図８に示すように、ガイドレールＡの基板１と傾斜板３とで囲繞される空間に強制的に内嵌（圧入）できるような連結部材４５を介して、隣設するガイドレールＡ相互を連結できるように構成しても良い。
【００２２】
尚、ガイドレール装置の具体的構成、形状、寸法、ガイドレールＡの具体的構成、形状、寸法、材質、基板１の具体的構成、形状、寸法、折返部２の具体的構成、形状、寸法、傾斜板３の具体的構成、形状、寸法、傾斜状態、折重部３ａの具体的構成、形状、寸法、厚肉部３ｂの具体的構成、形状、寸法、配設位置、開放部５の具体的構成、形状、寸法、クランププレートＢの具体的構成、形状、寸法、材質、基片１０の具体的構成、形状、寸法、傾斜片１１の具体的構成、形状、寸法、挿通孔１２の具体的構成、形状、寸法、配設位置、数、ワッシャー１３の具体的構成、形状、寸法、材質、ナット体Ｃの具体的構成、形状、寸法、材質、傾斜面１５の具体的構成、形状、寸法、雌ネジ孔１６の具体的構成、形状、寸法、配設位置、数、支持アームＤの具体的構成、形状、寸法、材質、雄ネジ部１７の具体的構成、形状、寸法、支持体２０の具体的構成、形状、寸法、支持ブロック２１の具体的構成、形状、寸法、材質、支持マスト２２の具体的構成、形状、寸法、材質、取付孔２３の具体的構成、形状、寸法、配設位置、切割溝２４の具体的構成、形状、寸法、ボルト２５、ナット２６の具体的構成、形状、寸法、外装体Ｅの具体的構成、形状、寸法、材質、基板３０の具体的構成、形状、寸法、湾出突部３０ａの具体的構成、形状、寸法、配設位置、湾曲突部３０ｂの具体的構成、形状、寸法、配設位置、抱持片３１の具体的構成、形状、寸法、ボルト４０の具体的構成、形状、寸法、材質、数、連結部材４５の具体的構成、形状、寸法、材質等は、図示例のもの等に限定されることなく適宜自由に設定、変更できるものである。
【００２３】
本発明のガイドレール装置は前述の如く構成されており、例えば、コンベヤチェーン５０の上方に配置されるようになる。また、本発明のガイドレール装置は、図５に示すように、ガイドレールＡと、クランププレートＢと、ナット体Ｃと、外装体Ｅと、ナット体Ｃの雌ネジ孔１６に螺着可能なボルトとを利用して、コンベヤチェーン５０の走行用レールとして利用することもできるものである。
【００２４】
【発明の効果】
従って、請求項１記載のガイドレール装置は、適宜コンベヤシステムによって搬送される搬送物の側部に摺接して、搬送物を案内するガイドレール装置であって、適宜長尺なガイドレールＡと、このガイドレールＡに連結される支持アームＤと、この支持アームＤをガイドレールＡに連結させるためのクランププレートＢ及びナット体Ｃとを備え、ガイドレールＡは、長尺な基板１と、この基板１の両長縁部分に折返部２を介して連設されると共に、先端縁がわに行くに従って相互に接近するような傾斜状態に配される一対の長尺な傾斜板３とで略蟻溝形状に形成され、クランププレートＢは、支持アームＤの先端部に設けた雄ネジ部１７が挿通される挿通孔１２を穿設してなる基片１０と、この基片１０の両縁部分に連設されると共に、ガイドレールＡの一対の傾斜板３夫々に略平行となるように配される一対の傾斜片１１とからなり、ナット体Ｃは、ガイドレールＡの基板１と一対の傾斜板３で囲繞された内部空間に内装され、その中央には支持アームＤの雄ネジ部１７が螺着可能な雌ネジ孔１６が形成され、その両縁部分にはガイドレールＡの一対の傾斜板３の内表面に夫々密接するような傾斜面１５が形成され、支持アームＤは、ナット体Ｃの雌ネジ孔１６への雄ネジ部１７の螺着によって、クランププレートＢの傾斜片１１とナット体Ｃの傾斜面１５とで、ガイドレールＡの傾斜板３部分を挟圧保持できるように構成したので、ガイドレールＡの設置が、簡単に、確実に、正確に、迅速に、且つ安定的に行えるようになり、コンベヤシステムに於いて搬送物を所望の状態にスムーズに案内でき、しかも、構成が簡素で、量産に適し、軽量で、耐久性に優れ、取扱いが容易で、コストの低減が図れ、経済的なガイドレール装置となる。
【００２５】
特に、ガイドレールＡは、長尺な基板１と、この基板１の両長縁部分に折返部２を介して連設されると共に、先端縁がわに行くに従って相互に接近するような傾斜状態に配される一対の長尺な傾斜板３とで略蟻溝形状に形成したので、全体の強度、剛性が高くなり、耐久性に優れ、より加工精度の高いガイドレールＡとなる。しかも、直線状のガイドレールＡを必要に応じて所望の湾曲状態に折曲げることができ、取扱い易いガイドレールＡとなる。更に、比較的薄い板材によってガイドレールＡを構成した場合でも、十分な強度及び剛性を維持することができ、軽量化も図り易いガイドレールＡとなる。また、更なる軽量化を図るべくガイドレールＡをアルミ材で一体成型することもでき、この場合も十分な強度及び剛性を維持することができ、より軽量なガイドレールＡとなる。
【００２６】
加えて、クランププレートＢは、支持アームＤの先端部に設けた雄ネジ部１７が挿通される挿通孔１２を穿設してなる基片１０と、この基片１０の両縁部分に連設されると共に、ガイドレールＡの一対の傾斜板３夫々に略平行となるように配される一対の傾斜片１１とからなり、ナット体Ｃは、ガイドレールＡの基板１と一対の傾斜板３で囲繞された内部空間に内装され、その中央には支持アームＤの雄ネジ部１７が螺着可能な雌ネジ孔１６が形成され、その両縁部分にはガイドレールＡの一対の傾斜板３の内表面に夫々密接するような傾斜面１５が形成され、支持アームＤは、ナット体Ｃの雌ネジ孔１６への雄ネジ部１７の螺着によって、クランププレートＢの傾斜片１１とナット体Ｃの傾斜面１５とで、ガイドレールＡの傾斜板３部分を挟圧保持できるように構成したので、ガイドレールＡと支持アームＤとの連結状態が強固で安定的となると共に、ガイドレールＡの任意の位置に支持アームＤを簡単に且つ確実に連結できるようになる。しかして、取扱い易く、取付け、取外し等の作業性に優れたガイドレール装置となる。
【００２７】
また、請求項２記載のガイドレール装置は、ガイドレールＡの傾斜板３の先端部分に、傾斜板３の先端縁部分を基端がわに折返すようにした折重部３ａを形成したので、傾斜板３の強度及び剛性を増すことができるようになる。ひいては、ガイドレールＡ全体の強度及び剛性が増すようになる。しかも、傾斜板３の折重部３ａ部分を、クランププレートＢとナット体Ｃとで強力に挟圧保持できるようになり、ガイドレールＡと支持アームＤとの連結状態がより強固で安定的となる。
【００２８】
更に、請求項３記載のガイドレール装置は、ガイドレールＡの傾斜板３の先端部分に、その部分の肉厚が厚くなるような厚肉部３ｂを形成したので、傾斜板３の強度及び剛性を増すことができるようになる。ひいては、ガイドレールＡ全体の強度及び剛性が増すようになる。しかも、傾斜板３の厚肉部３ｂ部分を、クランププレートＢとナット体Ｃとで強力に挟圧保持できるようになり、ガイドレールＡと支持アームＤとの連結状態がより強固で安定的となる。特に、その軽量化を図るべくガイドレールＡをアルミ材で一体成型したとき等に最適な手段となる。
【００２９】
そして、請求項４記載のガイドレール装置は、ガイドレールＡの基板１に、外側がわに湾出する縦断面略円弧状の湾曲部１ａを形成したので、基板１の強度及び剛性を増すことができるようになる。ひいては、ガイドレールＡ全体の強度及び剛性が増すようになる。加えて、搬送物との摺接面積を小さくでき、その摺接抵抗を低減できるようになり、搬送物をより滑らかに案内できるようになる。
【００３０】
それから、請求項５記載のガイドレール装置は、ガイドレールＡの基板１及び折返部２の外表面部分を覆うような適宜合成樹脂製の外装体Ｅを形成したので、搬送物との摺接抵抗を低減でき、搬送物をより滑らかに案内できるようになると共に、搬送物を保護できるようにもなる。
【００３１】
加えて、請求項６記載のガイドレール装置は、外装体Ｅの外表面に、外側がわに湾出するような縦断面略円弧状の湾出突部３０ａまたは湾曲突部３０ｂを形成したので、搬送物との摺接面積を小さくでき、その摺接抵抗を低減できるようになり、搬送物をより滑らかに案内できるようになる。
【図面の簡単な説明】
【図１】本発明のガイドレール装置を例示する一部省略分解斜視図である。
【図２】本発明のガイドレール装置の使用例を示す縦断正面図である。
【図３】本発明のガイドレール装置を例示する縦断正面図である。
【図４】本発明のガイドレール装置のガイドレール及び外装体の実施例を示す縦断正面図である。
【図５】本発明のガイドレール装置の他の使用例を示す縦断正面図である。
【図６】本発明のガイドレール装置の継手部分を例示する一部切欠側面図である。
【図７】本発明のガイドレール装置の継手部分を例示する横断平面図である。
【図８】本発明のガイドレール装置の継手部分の他例を示す縦断面図である。
【符号の説明】
Ａ      ガイドレール
１      基板                        １ａ    湾曲部
２      折返部                      ３      傾斜板
３ａ    折重部                      ３ｂ    厚肉部
５      開放部
Ｂ      クランププレート
１０    基片                        １１    傾斜片
１２    挿通孔                      １３    ワッシャー
Ｃ      ナット体
１５    傾斜面                      １６    雌ネジ孔
Ｄ      支持アーム
１７    雄ネジ部
２０    支持体                      ２１    支持ブロック
２２    支持マスト                  ２３    取付孔
２４    切割溝                      ２５    ボルト
２６    ナット
Ｅ      外装体
３０    基板                        ３０ａ  湾出突部
３０ｂ  湾曲突部                    ３１    抱持片
４０    ボルト
４５    連結部材
５０    コンベヤチェーン
【図１】
0003546415.tif 000002
【図２】
0003546415.tif 000003
【図３】
0003546415.tif 000004
【図４】
0003546415.tif 000005
【図５】
0003546415.tif 000006
【図６】
0003546415.tif 000007
【図７】
0003546415.tif 000008
【図８】
0003546415.tif 000009